(57)【要約】【課題】電気電子機器収納用箱の内部の任意の高さ位置や任意の方向にファンを取付けて熱溜まりを解消することができる、ファンユニットを提供する。【解決手段】本発明のファンユニットは、電気電子機器収納用箱１９の内部のマウントアングル１８と側板との間に取付けられるもので、扁平なファン本体１の一端に、ファン本体１の取付位置を変更自在とする取付具８を、支持部１４を介して連接したものである。支持部１４はファン本体１を所定角度で固定可能なものであることが好ましい。【選択図】図１
2017112129.tif 000002
【特許請求の範囲】
【請求項１】
電気電子機器収納用箱の内部のマウントアングルと側板間に設置されるファンユニットであって、ファン本体の一端に、ファン本体の取付位置を変更自在とする取付具を連接したことを特徴とするファンユニット。
【請求項２】
前記取付具は、回動自在な支持部を介してファン本体の一端に連接されたものであることを特徴とする請求項１に記載のファンユニット。
【請求項３】
前記支持部は、所定角度で固定可能なものであることを特徴とする請求項２に記載のファンユニット。
【請求項４】
前記取付具は、略Ｌ字状に屈曲された二つの取付面を持つことを特徴とする請求項１〜３の何れかに記載のファンユニット。
【発明の詳細な説明】
【技術分野】
【０００１】
本発明は、マウントアングルを備えた電気電子機器収納用箱の内部の、マウントアングルと側板間に設置されるファンユニットに関するものである。
【背景技術】
【０００２】
電気電子機器収納用箱には様々な種類があるが、サーバ等が収納される電気電子機器収納用箱は、コーナー部の４本の支柱の内側に機器取付用のマウントアングルを備え、左右のマウントアングルの間にサーバ等を取付けた構造が一般的である。
【０００３】
サーバ等の電気電子機器は発熱するため、通常は電気電子機器収納用箱の前面側から冷却用空気を吸気し、背面側に排気する冷却構造が採用されている。この冷却用空気がサーバ等の内部を効率よく流れるように、電気電子機器収納用箱の前面側のマウントアングルと側板との間には、閉塞板が配置されている。
【０００４】
このため、マウントアングルと側板との間の部分は冷却用空気の流れが悪く、熱溜まりと呼ばれる局所的な高温ゾーンが発生し易い。このような熱溜まりの近傍ではサーバ等の冷却が十分に行われなくなるので、好ましくない。
【０００５】
そこで特許文献１に示されるように、マウントアングルと側板との間に配置される閉塞板にファンを取付け、電気電子機器収納用箱の背面側に向かって空気流を形成することによって、熱溜まりを解消することが提案されている。
【０００６】
しかし縦長のマウントアングルのどの高さ位置に発熱量が大きいサーバ等が取付けられるかは、工場出荷時には予測できない。このためファンの数が少ないと熱溜まりの発生を十分に防止することができず、ファンの数を多くすると熱溜まりの発生は防止できても、余分のコストや電力を要することとなる欠点があった。また、送風の方向が後向きに限定されているため、効果的に熱溜まりを解消できない場合があるという問題もあった。
【先行技術文献】
【特許文献】
【０００７】
【特許文献１】特開２００９−１７６９１１号公報
【発明の概要】
【発明が解決しようとする課題】
【０００８】
従って本発明の目的は上記した従来の問題点を解決し、発熱量が大きいサーバ等の取付け状況に応じて、電気電子機器収納用箱の内部の任意の高さ位置や任意の方向にファンを取付けて熱溜まりを解消することができる、ファンユニットを提供することである。
【課題を解決するための手段】
【０００９】
上記の課題を解決するためになされた本発明は、電気電子機器収納用箱の内部のマウントアングルと側板間に設置されるファンユニットであって、ファン本体の一端に、ファン本体の取付位置を変更自在とする取付具を連接したことを特徴とするものである。
【００１０】
なお請求項２のように、前記取付具は、回動自在な支持部を介してファン本体の一端に連接されたものであることが好ましい。
【００１１】
また請求項３のように、前記支持部は、所定角度で固定可能なものであることが好ましい。
【００１２】
また請求項４のように、前記取付具は、略Ｌ字状に屈曲された二つの取付面を持つことが好ましい。
【発明の効果】
【００１３】
本発明のファンユニットは、ファン本体の一端に、ファン本体の取付位置を変更自在とする取付具を連接したものであるから、熱溜まりの位置に応じてファンの取付位置を自由に変更することができ、効果的に電気電子機器収納用箱の側板とマウントアングル間の熱溜まりを解消することができる。
【００１４】
請求項２の発明によれば、取付具は回動自在な支持部を介してファン本体の一端に連接されたものであるから、ファンの吸気方向や排気方向を自由に調整することができる。
【００１５】
請求項３の発明によれば、支持部を所定角度で固定可能としたので、ファンを所定の角度に保持させておくことができる。
【００１６】
請求項４の発明によれば、取付具は略Ｌ字状に屈曲された二つの取付面を持つので、取付位置や取付方向を変更する上で有利である。
【図面の簡単な説明】
【００１７】
【図１】実施形態のファンユニットの全体斜視図である。
【図２】実施形態のファンユニットの分解斜視図である。
【図３】ファンユニットの取付け状態を示す斜視図である。
【図４】図３の要部拡大斜視図である。
【図５】ファンユニットの取付け状態を示す斜視図である。
【図６】ファンユニットの取付け状態を示す斜視図である。
【図７】取付具をそのままマウントアングルと側板との間に挿入する際の問題点を示す水平断面図である。
【図８】取付具を回転させた状態でマウントアングルと側板との間に挿入する様子を示す水平断面図である。
【図９】取付具を回転させた状態でマウントアングルと側板との間に挿入する様子を示す斜視図である。
【図１０】ファンユニットの他の取付け状態を示す斜視図である。
【図１１】図１０の要部拡大斜視図である。
【発明を実施するための形態】
【００１８】
以下に本発明の実施形態を説明する。
図１は実施形態のファンユニットの全体斜視図、図２はその分解斜視図である。これらの図において、１はファン本体であり、ファン本体１には、ガード５が形成されており、後面には平板状の補助金具６がボルト７によりガード５とともに取付けられている。
【００１９】
８は取付具であり、略Ｌ字状に屈曲された二つの取付面を持つ。第１の取付面は長辺部９であり、第２の取付面は長辺部９の一端を直角に折り曲げた短辺部１０である。長辺部９は複数の取付穴２９を備えその全体は略長方形状であるが、短辺部１０が接続される部分には切欠部１１が形成されており、短辺部１０の幅は切欠部１１の幅の対応して長辺部９の幅よりも狭くなっている。短辺部１０には上下方向の長穴状の取付孔１２が形成されている。また、切欠部１１とは反対側には長辺部９の端部を直角に折り曲げ、下向のフックを形成した係止辺１３が形成されている。この係止辺１３は短辺部１０に対して垂直である。
【００２０】
取付具８は回動自在な支持部１４を介してファン本体１の一端に連接されている。図２に示されるように、この支持部１４は、前述した補助金具６に固定された補助金具側蝶番１５と、取付具８の下面に固定された取付具側蝶番１６とを蝶番ピン１７により連結したものである。この支持部１４はトルクヒンジと呼ばれるもので、補助金具側蝶番１５と蝶番ピン１７との断面は半円形になっている。このため一般的な蝶番のように滑らかに回動させることができず、回動させるには一定のトルクを加える必要があり、回動後に所定の角度で保持することができる構造となっている。
【００２１】
このような構造のファンユニットは、図３に示されるように、マウントアングル１８を備えた電気電子機器収納用箱１９の内部のマウントアングルと側板間に取付けられる。この電気電子機器収納用箱１９の筐体は、４本ずつの縦フレーム２０、横フレーム２１、奥行フレーム２２によって構成した直方体状の骨格に、側板を取り付けたものである。ここで、側板として、左右側板、背面板、前面扉（図３では省略）を取付けたものである。縦フレーム２０の内側に４本のマウントアングル１８を立設し、これらのマウントアングル１８、１８の間に電気電子機器２３を支持させる構造である。なお、マウントアングル１８と側板との間には、前記した閉塞板を取付けることが好ましい。
【００２２】
図４に示すように、マウントアングル１８は棚板取付面２４の両側に腕部２５を備えたものであり、棚板取付面２４には縦長スリット状の係止孔２６と円形の取付孔２７とは所定ピッチで形成されている。また腕部２５にも四角形の電気電子機器２３を取り付け可能な取付孔２８が形成されている。
【００２３】
図３、図４に示すように、ファンユニットをその送風方向がマウントアングル１８の棚板取付面２４と平行になるように取り付ける場合には、取付具８の短辺部１０をマウントアングル１８の両側の腕部２５、２５の間に差し込み、短辺部１０を棚板取付面２４と密着させ、短辺部１０の取付孔１２とマウントアングル１８の取付孔２７とにボルトを通して固定すればよい。このとき、取付具８の係止辺１３をマウントアングル１８のスリット状の係止孔２６に係合させることによって、取付具８はがたつくことなくマウントアングル１８に固定される。
【００２４】
図５はマウントアングル１８の上下２位置にファンユニットを取付けた状態を示している。また図６は、マウントアングル１８への取付具８の取り付け方を同一としたまま、片側のファン本体１の送風方向を上向きとした取付け例を示している。前記したように支持部１４はトルクヒンジであるから、ファン本体１を９０度回転させ、その角度に保持させることができる。
【００２５】
このようにファンユニットを取付けるに際し、取付具８を図４の姿勢としたままで短辺部１０をマウントアングル１８の両側の腕部２５、２５の間に差し込むことができない場合がある。即ち、図７に示すように電気電子機器収納用箱１９の側板３０とマウントアングル１８との間の距離が短い場合には、マウントアングル１８の腕部２５の先端と側板３０との間の距離Ａが、取付具８の長辺部９の長さＢと略同一であるか、Ｂの方が大きくなり、そのままでは長辺部９をマウントアングル１８と側板３０との間に挿入することができない。
【００２６】
しかし、図８、図９に示すように長辺部９が上下方向となるように全体を回転させ、短辺部１０を水平とした状態とすれば、短辺部１０の長さＣは長辺部９の長さＢよりも短いので、取付具８をマウントアングル１８と側板３０との間に挿入することができる。次に図９に矢印で示すように全体を回転させて長辺部９を水平とすれば、図４の状態となる。このとき長辺部９に形成された切欠部１１によりマウントアングル１８の腕部２５と長辺部９との干渉がなくなり、容易に回転させることが可能となる。このように、筐体に側板が形成されている場合であっても、筐体の内側から容易にファンユニットを取付けることが可能である。また、既存のラックにおいてもファンユニットを取り付けることができるものである。
【００２７】
以上に説明したように、取付具８の短辺部１０をマウントアングル１８の棚板取付面２４にボルトで固定する取付方法の他に、図１０、図１１に示すように取付具８の長辺部９をマウントアングル１８の腕部２５にボルトで固定することもできる。この場合にもトルクヒンジを利用して、ファン本体１の向きを筐体の前後方向あるいは幅方向に任意に設定することができる。
【００２８】
さらにこのほか、本発明のファンユニットは、電気電子機器収納用箱１９の縦フレーム２０に取付け、筐体の側板とマウントアングル間にファンユニットを配置することも可能である。
【００２９】
以上に説明したように、本発明のファンユニットは、電気電子機器収納用箱１９の内部の任意の高さに自由に取付けることができるので、発熱量が大きいサーバ等の取付け状況に応じて、任意の位置や任意の方向に取付けて熱溜まりを解消することができる利点がある。
【符号の説明】
【００３０】
１  ファン本体
５  ガード
６  補助金具
７  ボルト
８  取付具
９  長辺部
１０  短辺部
１１  切欠部
１２  取付孔
１３  係止辺
１４  支持部
１５  補助金具側蝶番
１６  取付具側蝶番
１７  蝶番ピン
１８  マウントアングル
１９  電気電子機器収納用箱
２０  縦フレーム
２１  横フレーム
２２  奥行フレーム
２３  電気電子機器
２４  棚板取付面
２５  腕部
２６  係止孔
２７  取付孔
２８  取付孔
２９  取付孔
３０  側板
Ａ  マウントアングルの腕部の先端と側板との距離
Ｂ  取付具の長辺部の長さ
Ｃ  取付具の短辺部の長さ
【図１】
2017112129.tif 000003
【図２】
2017112129.tif 000004
【図３】
2017112129.tif 000005
【図４】
2017112129.tif 000006
【図５】
2017112129.tif 000007
【図６】
2017112129.tif 000008
【図７】
2017112129.tif 000009
【図８】
2017112129.tif 000010
【図９】
2017112129.tif 000011
【図１０】
2017112129.tif 000012
【図１１】
2017112129.tif 000013